【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
複数の電圧基準出力を有する電圧基準発生器であって、各電圧基準出力が、選択可能な電圧レベルを有する、電圧基準発生器と、
複数の１次電力コントローラであって、各１次電力コントローラが、前記電圧基準発生器の前記電圧基準出力のうちの１つから電圧基準レベルを受信するように接続され、各１次電力コントローラが、前記電圧基準レベルを基準とする出力電圧を生成するためにスイッチャ回路の動作を制御することができるスイッチャ制御信号を発生するように動作可能である、複数の１次電力コントローラと、
複数の２次電力コントローラであって、各２次電力コントローラが、前記１次電力コントローラのうちの１つに関連付けられ、各２次電力コントローラが、前記各２次電力コントローラに関連付けられた前記１次電力コントローラの前記電圧基準レベルを基準とする出力電圧を選択可能なスルーレートにおいて生成するために負荷スイッチを制御することができる負荷スイッチ制御信号を発生するように動作可能である、複数の２次電力コントローラとを備え、
スルー信号を生成するように動作可能なスルーレートコントローラであって、各第２の電力コントローラが、前記負荷スイッチ制御信号を生成するために選択的に前記スルー信号に接続された、および前記スルー信号によって制御される、ドライバを備える、スルーレートコントローラをさらに備える、回路。
【請求項２】
前記ドライバが、さらに、前記負荷スイッチ制御信号を生成するために定電圧電位によって選択的に制御される、請求項１に記載の回路。
【請求項３】
前記スルーレートコントローラの動作周波数を制御するクロック信号であって、前記クロック信号が、前記スルーレートコントローラに接続された前記第２の電力コントローラに応じて選択可能である、クロック信号をさらに備える、請求項１に記載の回路。
【請求項４】
各２次電力コントローラと前記１次電力コントローラのうちの１つとの間の関連付けを記載する関連付けデータを記憶したメモリをさらに備える、請求項１に記載の回路。
【請求項５】
前記２次電力コントローラが、選択可能な順序に従って次々にイネーブルにされる、請求項１に記載の回路。
【請求項６】
２つ以上の２次電力コントローラが同時にイネーブルにされる、請求項１に記載の回路。
【請求項７】
負荷スイッチ制御信号を発生するために選択可能な順序に従って前記２次電力コントローラをイネーブルにするために制御信号を生成するように動作可能な制御論理をさらに備え、
前記制御論理が、イネーブルにされた２次電力コントローラに関連付けられた前記スルーレートを制御するクロック信号を生成するようにさらに動作可能であり、
前記制御論理に接続されたメモリであって、前記２次電力コントローラがイネーブルにされる順序を記載するシーケンスデータを記憶したメモリをさらに備える、請求項１に記載の回路。
【請求項８】
前記２次電力コントローラのうちの１つによって制御される負荷スイッチが、前記２次電力コントローラのうちの前記１つに関連付けられた前記１次電力コントローラによって制御されるスイッチャ回路に接続される、請求項１に記載の回路。
【請求項９】
複数のそれぞれの電源の動作を制御するために複数の１次電力制御信号を発生するための第１の回路手段と、
前記電源に接続された複数のそれぞれの負荷スイッチの動作を制御するために複数の負荷スイッチ制御信号を発生するための第２の回路手段と、
スルーレート制御信号を発生するための第３の回路手段であって、前記第２の回路手段が、前記スルーレート制御信号を使用して負荷スイッチ制御信号を発生するために前記第３の回路手段の出力に選択的に接続するための接続手段を含む、第３の回路手段と、
前記第１の回路手段が各電源を高電圧モードで動作させているのか低電圧モードで動作させているのかを示す、前記各電源に関連付けられたモードインジケータと、
電源と負荷スイッチとの間の関連付けを示す関連付け情報とを記憶するための第４の回路手段とを備え、
前記第３の回路手段が、第１の負荷スイッチに関連付けられた前記電源の前記モードインジケータに基づいて判断されたレートにおいて前記第１の負荷スイッチの出力をスルーするために前記第１の負荷スイッチのためのスルーレート制御信号を発生する、集積回路デバイス。
【請求項１０】
前記第１の回路手段が複数の１次電力コントローラ回路を備え、各１次電力コントローラ回路が、対応する１次電力制御信号を発生する、請求項９に記載の集積回路。
【請求項１１】
前記第２の回路手段が複数の制御回路を備え、各制御回路が、対応する負荷スイッチ制御信号を発生する、請求項９に記載の集積回路。
【請求項１２】
前記第１の回路手段によって使用される基準電圧を生成して、前記基準電圧に従って出力電圧を生成するように前記電源を制御する電圧基準発生器をさらに備え、
前記負荷スイッチがそれに接続された前記電圧基準発生器からの前記基準電圧に基づいて不足電圧状態および過電圧状態を検出するために前記第２の回路手段によって制御される前記負荷スイッチの電圧レベルを監視するために監視回路をさらに備える、請求項９に記載の集積回路。
【請求項１３】
前記第４の回路手段が、各負荷スイッチに対応するスルーレートパラメータを記憶し、前記第３の回路手段が、第１のスルーレート制御信号によって制御される前記負荷スイッチに対応する前記スルーレートパラメータを使用して前記第１のスルーレート制御信号を発生する、請求項１２に記載の集積回路。
【請求項１４】
回路における方法であって、
前記回路に、複数の電源に関連付けられた複数の基準電圧レベルを示す構成データを記憶することと、
前記回路内で、対応する電圧レベルを出力するために前記電源をそれらの対応する基準電圧レベルに従って動作させるために複数の１次制御信号を発生することと、
前記回路内で、１次電源に接続された負荷スイッチを動作させるために複数の２次制御信号を発生することであって、前記２次制御信号は、各負荷回路がそれに接続された前記１次電源に対応する、前記回路に記憶された前記基準電圧レベルに従って各負荷スイッチのスルーレートを制御する、発生することとを備える、方法。
【請求項１５】
前記１次制御信号を使用して、前記回路に接続された電源を制御することと、前記２次制御信号を使用して、前記回路に接続された負荷スイッチを制御することとをさらに備える、請求項１４に記載の方法。
【請求項１６】
前記回路に、前記１次制御信号および前記２次制御信号がそれによって発生されるシーケンスを示す構成データを記憶することをさらに備える、請求項１４に記載の方法。
【請求項１７】
前記負荷スイッチの出力電圧レベルと前記回路に記憶された前記基準電圧レベルとの比較に基づいて不足電圧信号または過電圧信号をトリガするために、前記負荷スイッチの前記出力電圧レベルを監視することと、前記記憶された基準電圧レベルを使用することとをさらに備える、請求項１４に記載の方法。
【手続補正２】
【補正対象書類名】明細書
【補正対象項目名】００７６
【補正方法】変更
【補正の内容】
【００７６】
[0083]上記の説明では、特定の実施形態の態様がどのように実装され得るかの例とともに、本開示の様々な実施形態を示した。上記の例は、上記実施形態のみであると見なされるべきではなく、以下の特許請求の範囲によって定義された特定の実施形態のフレキシビリティと利点とを示すために提示された。上記の開示と以下の特許請求の範囲とに基づいて、特許請求の範囲によって定義された本開示の範囲から逸脱することなく、他の構成、実施形態、実装形態、および等価物が採用され得る。
以下に本願出願当初の特許請求の範囲を付記する。
[Ｃ１]  複数の電圧基準出力を有する電圧基準発生器であって、各電圧基準出力が、選択可能な電圧レベルを有する、電圧基準発生器と、
複数の１次電力コントローラであって、各１次電力コントローラが、前記電圧基準発生器の前記電圧基準出力のうちの１つから電圧基準レベルを受信するように接続され、各１次電力コントローラが、前記電圧基準レベルを基準とする出力電圧を生成するためにスイッチャ回路の動作を制御することができるスイッチャ制御信号を発生するように動作可能である、複数の１次電力コントローラと、
複数の２次電力コントローラであって、各２次電力コントローラが、前記１次電力コントローラのうちの１つに関連付けられ、各２次電力コントローラが、前記各２次電力コントローラに関連付けられた前記１次電力コントローラの前記電圧基準レベルを基準とする出力電圧を選択可能なスルーレートにおいて生成するために負荷スイッチを制御することができる負荷スイッチ制御信号を発生するように動作可能である、複数の２次電力コントローラとを備える回路。
[Ｃ２]  スルー信号を生成するように動作可能なスルーレートコントローラであって、各第２の電力コントローラが、前記負荷スイッチ制御信号を生成するために選択的に前記スルー信号に接続された、および前記スルー信号によって制御される、ドライバを備える、スルーレートコントローラをさらに備える、Ｃ１に記載の回路。
[Ｃ３]  前記ドライバが、さらに、前記負荷スイッチ制御信号を生成するために定電圧電位によって選択的に制御される、Ｃ２に記載の回路。
[Ｃ４]  前記スルーレートコントローラの動作周波数を制御するクロック信号であって、前記クロック信号が、前記スルーレートコントローラに接続された前記第２の電力コントローラに応じて選択可能である、クロック信号をさらに備える、Ｃ２に記載の回路。
[Ｃ５]  各２次電力コントローラと前記１次電力コントローラのうちの１つとの間の関連付けを記載する関連付けデータを記憶したメモリをさらに備える、Ｃ１に記載の回路。
[Ｃ６]  前記２次電力コントローラが、選択可能な順序に従って次々にイネーブルにされる、Ｃ１に記載の回路。
[Ｃ７]  ２つ以上の２次電力コントローラが同時にイネーブルにされる、Ｃ１に記載の回路。
[Ｃ８]  負荷スイッチ制御信号を発生するために選択可能な順序に従って前記２次電力コントローラをイネーブルにするために制御信号を生成するように動作可能な制御論理をさらに備える、Ｃ１に記載の回路。
[Ｃ９]  前記制御論理が、イネーブルにされた２次電力コントローラに関連付けられた前記スルーレートを制御するクロック信号を生成するようにさらに動作可能である、Ｃ８に記載の回路。
[Ｃ１０]  前記制御論理に接続されたメモリであって、前記２次電力コントローラがイネーブルにされる順序を記載するシーケンスデータを記憶したメモリをさらに備える、Ｃ８に記載の回路。
[Ｃ１１]  前記２次電力コントローラのうちの１つによって制御される負荷スイッチが、前記２次電力コントローラのうちの前記１つに関連付けられた前記１次電力コントローラによって制御されるスイッチャ回路に接続される、Ｃ１に記載の回路。
[Ｃ１２]  複数のそれぞれの電源の動作を制御するために複数の１次電力制御信号を発生するための第１の回路手段と、
前記電源に接続された複数のそれぞれの負荷スイッチの動作を制御するために複数の負荷スイッチ制御信号を発生するための第２の回路手段と、
スルーレート制御信号を発生するための第３の回路手段であって、前記第２の回路手段が、前記スルーレート制御信号を使用して負荷スイッチ制御信号を発生するために前記第３の回路手段の出力に選択的に接続するための接続手段を含む、第３の回路手段と、
前記第１の回路手段が各電源を高電圧モードで動作させているのか低電圧モードで動作させているのかを示す、前記各電源に関連付けられたモードインジケータと、
電源と負荷スイッチとの間の関連付けを示す関連付け情報とを記憶するための第４の回路手段とを備え、
前記第３の回路手段が、第１の負荷スイッチに関連付けられた前記電源の前記モードインジケータに基づいて判断されたレートにおいて前記第１の負荷スイッチの出力をスルーするために前記第１の負荷スイッチのためのスルーレート制御信号を発生する、集積回路デバイス。
[Ｃ１３]  前記第１の回路手段が複数の１次電力コントローラ回路を備え、各１次電力コントローラ回路が、対応する１次電力制御信号を発生する、Ｃ１２に記載の集積回路。
[Ｃ１４]  前記第２の回路手段が複数の制御回路を備え、各制御回路が、対応する負荷スイッチ制御信号を発生する、Ｃ１２に記載の集積回路。
[Ｃ１５]  前記第１の回路手段によって使用される基準電圧に従って出力電圧を生成するために前記電源を制御するために前記基準電圧を発生するために電圧基準発生器をさらに備える、Ｃ１２に記載の集積回路。
[Ｃ１６]  前記負荷スイッチがそれに接続された前記電圧基準発生器からの前記基準電圧に基づいて不足電圧状態および過電圧状態を検出するために前記第２の回路手段によって制御される前記負荷スイッチの電圧レベルを監視するために監視回路をさらに備える、Ｃ１５に記載の集積回路。
[Ｃ１７]  前記第４の回路手段が、各負荷スイッチに対応するスルーレートパラメータを記憶し、前記第３の回路手段が、第１のスルーレート制御信号によって制御される前記負荷スイッチに対応する前記スルーレートパラメータを使用して前記第１のスルーレート制御信号を発生する、Ｃ１２に記載の集積回路。
[Ｃ１８]  回路における方法であって、
前記回路に、複数の電源に関連付けられた複数の基準電圧レベルを示す構成データを記憶することと、
前記回路内で、対応する電圧レベルを出力するために前記電源をそれらの対応する基準電圧レベルに従って動作させるために複数の１次制御信号を発生することと、
前記回路内で、１次電源に接続された負荷スイッチを動作させるために複数の２次制御信号を発生することであって、前記２次制御信号は、各負荷回路がそれに接続された前記１次電源に対応する、前記回路に記憶された前記基準電圧レベルに従って前記各負荷スイッチのスルーレートを制御する、発生することとを備える、方法。
[Ｃ１９]  前記１次制御信号を使用して、前記回路に接続された電源を制御することと、前記２次制御信号を使用して、前記回路に接続された負荷スイッチを制御することとをさらに備える、Ｃ１８に記載の方法。
[Ｃ２０]  前記回路に、前記１次制御信号および前記２次制御信号がそれによって発生されるシーケンスを示す構成データを記憶することをさらに備える、Ｃ１８に記載の方法。
[Ｃ２１]  前記負荷スイッチの出力電圧レベルと前記回路に記憶された前記基準電圧レベルとの比較に基づいて不足電圧信号または過電圧信号をトリガするために、前記負荷スイッチの前記出力電圧レベルを監視することと、前記記憶された基準電圧レベルを使用することとをさらに備える、Ｃ１８に記載の方法。